(57)【要約】【課題】屋外に複数の屋外空気調和装置を配置する場合に、複数の屋外空気調和装置を操作する際の手間を減らす。【解決手段】屋外空気調和システム（１）は、屋外に配置される複数の屋外空気調和装置（２Ａ〜２Ｉ）と、１つのリモートコントローラ（４）と、を有している。各屋外空気調和装置（２Ａ〜２Ｉ）は、ケーシング（２０）と、ケーシングに収容される圧縮機（１１）、熱源側熱交換器（１３）、熱源側ファン（１６）、利用側熱交換器（１５）及び利用側ファン（１７）と、を有している。リモートコントローラ（４）は、複数の屋外空気調和装置（２Ａ〜２Ｉ）に通信可能に接続されており、複数の屋外空気調和装置（２Ａ〜２Ｉ）を操作する。【選択図】図１
2020159639.tif 000002
【特許請求の範囲】
【請求項１】
屋外に配置される複数の屋外空気調和装置（２Ａ〜２Ｉ）であって、前記各屋外空気調和装置が、ケーシング（２０）と、前記ケーシングに収容される圧縮機（１１）、熱源側熱交換器（１３）、前記熱源側熱交換器を通過する空気流れを生じさせる熱源側ファン（１６）、利用側熱交換器（１５）、及び、前記利用側熱交換器を通過する空気流れを生じさせる利用側ファン（１７）と、を有しているもの、と、
前記複数の屋外空気調和装置に通信可能に接続されており、前記複数の屋外空気調和装置を操作する１つのリモートコントローラ（４）と、
を備えた、
屋外空気調和システム（１）。
【請求項２】
前記複数の屋外空気調和装置は、前記リモートコントローラに通信線で直列に接続されている、
請求項１に記載の屋外空気調和システム。
【請求項３】
前記複数の屋外空気調和装置は、前記リモートコントローラに通信線で並列に接続されている、
請求項１に記載の屋外空気調和システム。
【請求項４】
前記複数の屋外空気調和装置は、前記リモートコントローラに無線で接続されている、
請求項１に記載の屋外空気調和システム。
【請求項５】
前記リモートコントローラは、前記複数の屋外空気調和装置を一括に操作する、
請求項１〜４のいずれか１項に記載の屋外空気調和システム。
【請求項６】
前記リモートコントローラは、前記複数の屋外空気調和装置を個別に操作する、
請求項１〜４のいずれか１項に記載の屋外空気調和システム。
【請求項７】
前記ケーシングの外面には、発光部（３６）が設けられており、
前記リモートコントローラは、前記複数の屋外空気調和装置のうち操作対象の前記屋外空気調和装置の前記発光部を光らせる、
請求項１〜６のいずれか１項に記載の屋外空気調和システム。
【請求項８】
前記発光部は、前記ケーシングの外面のうち側面に配置されている、
請求項７に記載の屋外空気調和システム。
【請求項９】
前記ケーシングには、前記利用側熱交換器を通過した空気流れを前記ケーシングの外部に吹出す利用側吹出口（３０ａ〜３０ｄ）が形成されており、
前記利用側吹出口には、前記利用側吹出口から吹き出される空気流れの向きを変更するフラップ（３７）が設けられており、
前記リモートコントローラは、前記複数の屋外空気調和装置のうち操作対象の前記屋外空気調和装置の前記フラップを動作させる、
請求項１〜６のいずれか１項に記載の屋外空気調和システム。
【請求項１０】
前記ケーシングには、前記熱源側熱交換器を通過した空気流れを前記ケーシングの外部に吹出す熱源側吹出口（２３ａ）と、前記利用側熱交換器を通過した空気流れを前記ケーシングの外部に吹出す利用側吹出口（３０ａ〜３０ｄ）と、が形成されており、
前記リモートコントローラは、前記複数の屋外空気調和装置のうち操作対象の前記屋外空気調和装置の前記熱源側ファン及び／又は前記利用側ファンを動作させる、
請求項１〜６のいずれか１項に記載の屋外空気調和システム。
【請求項１１】
前記リモートコントローラは、表示部（４５）を有しており、
前記リモートコントローラは、前記複数の屋外空気調和装置で異常が発生した場合に、最も異常の深刻さ度合いが高い異常情報を第１異常情報として前記表示部に表示する、
請求項１〜１０のいずれか１項に記載の屋外空気調和システム。
【請求項１２】
前記リモートコントローラは、前記第１異常情報として前記表示部に表示されている異常が解消された場合に、次に深刻さ度合いが高い異常情報を第１異常情報として前記表示部に表示する、
請求項１１に記載の屋外空気調和システム。
【発明の詳細な説明】
【技術分野】
【０００１】
屋外に配置される屋外空気調和装置
【背景技術】
【０００２】
従来より、局所的な冷房（空調）を行う空気調和装置がある。このような空気調和装置として、特許文献１（特開２００６−２４２５１０号公報）に示すように、ケーシングに圧縮機、凝縮器（熱源側熱交換器）、凝縮器ファン（熱源側ファン）、蒸発器（利用側熱交換器）、及び、蒸発器ファン（利用側ファン）と、を有するものがある。
【発明の概要】
【発明が解決しようとする課題】
【０００３】
上記従来の空気調和装置において、運転や停止等の指令を行うための操作部は、ケーシングに設けられている。ユーザー等の操作者は、空気調和装置の配置場所まで行って、空気調和装置を操作する。
【０００４】
また、近年、屋外イベントは増加しており、屋外イベント会場や飲食店のテラス席等に、空気調和装置（屋外空気調和装置）を配置したいという要望が高まっている。このような要望に対して、上記従来の空気調和装置を屋外空気調和装置として屋外に配置することが考えられる。屋外の空間が広い場合、複数の屋外空気調和装置を屋外に配置しなければならない場合がある。
【０００５】
しかし、広い屋外の空間に複数の屋外空気調和装置を配置する場合、操作者は、複数の屋外空気調和装置のそれぞれの配置場所まで行って、各屋外空気調和装置を操作する必要が生じるため、屋外空気調和装置の操作に手間がかかる。
【課題を解決するための手段】
【０００６】
第１の観点にかかる屋外空気調和システムは、屋外に配置される複数の屋外空気調和装置と、１つのリモートコントローラと、を有している。各屋外空気調和装置は、ケーシングと、ケーシングに収容される圧縮機、熱源側熱交換器、熱源側熱交換器を通過する空気流れを生じさせる熱源側ファン、利用側熱交換器、及び、利用側熱交換器を通過する空気流れを生じさせる利用側ファンと、を有している。リモートコントローラは、複数の屋外空気調和装置に通信可能に接続されており、複数の屋外空気調和装置を操作する。
【０００７】
第１の観点にかかる屋外空気調和システムは、上記のように、１つのリモートコントローラによって複数の屋外空気調和装置を操作する構成を採用している。この構成によって、操作者は、複数の屋外空気調和装置のそれぞれの配置場所まで行かずに、複数の屋外空気調和装置を操作することができるため、屋外空気調和装置の操作の手間を減らすことができる。
【０００８】
第２の観点にかかる屋外空気調和システムは、第１の観点にかかる屋外空気調和システムにおいて、複数の屋外空気調和装置が、リモートコントローラに通信線で直列に接続されている。
【０００９】
第３の観点にかかる屋外空気調和システムは、第１の観点にかかる屋外空気調和システムにおいて、複数の屋外空気調和装置が、リモートコントローラに通信線で並列に接続されている。
【００１０】
第２及び第３の観点にかかる屋外空気調和システムは、上記のように、リモートコントローラと複数の屋外空気調和装置とを有線で接続する構成を採用している。この構成によって、例えば、リモートコントローラから離れた場所に配置される屋外空気調和装置が存在する場合（通信に不利な場合）であっても、良好な通信を行うことができる。
【００１１】
第４の観点にかかる屋外空気調和システムは、第１の観点にかかる屋外空気調和システムにおいて、複数の屋外空気調和装置が、リモートコントローラに無線で接続されている。
【００１２】
第４の観点にかかる屋外空気調和システムは、上記のように、リモートコントローラと複数の屋外空気調和装置とを無線で接続する構成を採用することによって、リモートコントローラと複数の屋外空気調和装置とを接続する通信線をなくすことができる。
【００１３】
第５の観点にかかる屋外空気調和システムは、第１〜第４の観点のいずれかにかかる屋外空気調和システムにおいて、リモートコントローラが、複数の屋外空気調和装置を一括に操作する。
【００１４】
第５の観点にかかる屋外空気調和システムは、上記のように、リモートコントローラが複数の屋外空気調和装置を一括に操作する構成を採用することによって、すべての屋外空気調和装置にまとめて運転や停止等の指令を行うことができる。
【００１５】
第６の観点にかかる屋外空気調和システムは、第１〜第４の観点のいずれかにかかる屋外空気調和システムにおいて、リモートコントローラが、複数の屋外空気調和装置を個別に操作する。
【００１６】
第６の観点にかかる屋外空気調和システムは、上記のように、リモートコントローラが複数の屋外空気調和装置を個別に操作する構成を採用することによって、屋外空気調和装置ごとに運転や停止等の指令を行うことができる。
【００１７】
第７の観点にかかる屋外空気調和システムは、第１〜第６の観点のいずれかにかかる屋外空気調和システムにおいて、ケーシングの外面に発光部が設けられている。リモートコントローラは、複数の屋外空気調和装置のうち操作対象の屋外空気調和装置の発光部を光らせる。
【００１８】
第７の観点にかかる屋外空気調和システムは、上記のように、操作対象の屋外空気調和装置の発光部を光らせる構成を採用することによって、操作対象の屋外空気調和装置を確認した上で、屋外空気調和装置を操作できる。
【００１９】
第８の観点にかかる屋外空気調和システムは、第７の観点にかかる屋外空気調和システムにおいて、発光部がケーシングの外面のうち側面に配置されている。
【００２０】
第８の観点にかかる屋外空気調和システムは、上記のように、発光部がケーシングの側面に設けられている構成を採用することによって、操作対象の屋外空気調和装置を確認しやすくできる。
【００２１】
第９の観点にかかる屋外空気調和システムは、第１〜第６の観点のいずれかにかかる屋外空気調和システムにおいて、ケーシングに利用側熱交換器を通過した空気流れをケーシングの外部に吹出す利用側吹出口が形成されている。利用側吹出口には、利用側吹出口から吹き出される空気流れの向きを変更するフラップが設けられている。リモートコントローラは、複数の屋外空気調和装置のうち操作対象の屋外空気調和装置のフラップを動作させる。
【００２２】
第９の観点にかかる屋外空気調和システムは、上記のように、操作対象の屋外空気調和装置のフラップを動作させる構成を採用することによって、操作対象の屋外空気調和装置を確認した上で、屋外空気調和装置を操作できる。
【００２３】
第１０の観点にかかる屋外空気調和システムは、第１〜第６の観点のいずれかにかかる屋外空気調和システムにおいて、ケーシングに熱源側吹出口と利用側吹出口とが形成されている。熱源側吹出口は、熱源側熱交換器を通過した空気流れをケーシングの外部に吹出す。利用側吹出口は、利用側熱交換器を通過した空気流れをケーシングの外部に吹出す。リモートコントローラは、複数の屋外空気調和装置のうち操作対象の屋外空気調和装置の熱源側ファン及び／又は利用側ファンを動作させる。
【００２４】
第１０の観点にかかる屋外空気調和システムは、上記のように、操作対象の屋外空気調和装置のファンを動作させる構成を採用することによって、操作対象の屋外空気調和装置を確認した上で、屋外空気調和装置を操作できる。
【００２５】
第１１の観点にかかる屋外空気調和システムは、第１〜第１０の観点のいずれかにかかる屋外空気調和システムにおいて、リモートコントローラが、表示部を有している。リモートコントローラは、複数の屋外空気調和装置で異常が発生した場合に、最も異常の深刻さ度合いが高い異常情報を第１異常情報として表示部に表示する。
【００２６】
第１１の観点にかかる屋外空気調和システムは、上記のような異常情報の表示構成を採用することによって、深刻な異常が発生している屋外空気調和装置の存在をリモートコントローラの表示部を通じて確認できる。
【００２７】
第１２の観点にかかる屋外空気調和システムは、第１１の観点にかかる屋外空気調和システムにおいて、リモートコントローラが、第１異常情報として表示部に表示されている異常が解消された場合に、次に深刻さ度合いが高い異常情報を第１異常情報として表示部に表示する。
【００２８】
第１２の観点にかかる屋外空気調和システムは、上記のような異常情報の表示構成を採用することによって、深刻な異常が発生している屋外空気調和装置の存在を深刻さ度合いが高い順に確認できる。
【図面の簡単な説明】
【００２９】
【図１】屋外空気調和システムの概略構成図である。
【図２】屋外空気調和装置の概略構成図である。
【図３】屋外空気調和装置の外観斜視図である。
【図４】屋外空気調和装置の内部を示す概略縦断面図である。
【図５】屋外空気調和システムの制御ブロック図である。
【図６】変形例Ａにかかる屋外空気調和システムの概略構成図である。
【図７】変形例Ｂにかかる屋外空気調和システムの概略構成図である。
【図８】変形例Ｄにかかる屋外空気調和装置の外観斜視図である。
【図９】変形例Ｄにかかる屋外空気調和システムの制御ブロック図である。
【図１０】変形例Ｅにかかる屋外空気調和装置の内部を示す概略縦断面図である。
【図１１】変形例Ｅにかかる屋外空気調和システムの制御ブロック図である。
【図１２】変形例Ｇにかかる屋外空気調和システムの異常情報の分類表である。
【図１３】変形例Ｇにかかる屋外空気調和システムの異常情報表示のフローチャートである。
【発明を実施するための形態】
【００３０】
以下、屋外空気調和システムについて、図面に基づいて説明する。
【００３１】
（１）機器構成
図１は、屋外空気調和システム１の概略構成図である。図２は、屋外空気調和装置２Ａ〜２Ｉの概略構成図である。図３は、屋外空気調和装置２Ａ〜２Ｉの外観斜視図である。図４は、屋外空気調和装置２Ａ〜２Ｉの内部を示す概略縦断面図である。
【００３２】
＜全体＞
屋外空気調和システム１は、屋外ＯＳに配置される複数の屋外空気調和装置２Ａ〜２Ｉを有している。ここで、屋外ＯＳとは、外気にさらされる空間を意味する。例えば、公園や野外競技場のような屋根の無い場所の場合もあれば、屋根がある戸外空間や東屋、ベランダのような場所、レストランの戸外の席であってもよい。また、図１は、屋外ＯＳに９台の屋外空気調和装置２Ａ〜２Ｉを配置した例を示しているが、屋外ＯＳの空間の広さに応じた台数の屋外空気調和装置が配置されていればよい。屋外空気調和装置２Ａ〜２Ｉはそれぞれ、蒸気圧縮式の冷凍サイクルによって、屋外ＯＳの冷房及び暖房を行う装置である。また、屋外空気調和システム１は、複数の屋外空気調和装置２Ａ〜２Ｉに通信可能に接続されており、複数の屋外空気調和装置２Ａ〜２Ｉを操作する１つのリモートコントローラ４を有している。リモートコントローラ４は、複数の屋外空気調和装置２Ａ〜２Ｉが配置される屋外ＯＳ、又は、屋外ＯＳに隣接する建物内に配置されている。複数の屋外空気調和装置２Ａ〜２Ｉは、リモートコントローラ４に通信線５で直列に接続されている。具体的には、リモートコントローラ４、屋外空気調和装置２Ａ・・・屋外空気調和装置２Ｉが順に通信線５で接続されている。
【００３３】
＜屋外空気調和装置＞
屋外空気調和装置２Ａ〜２Ｉはそれぞれ、蒸気圧縮式の冷凍サイクルをなす冷媒回路１０を有している。そして、冷媒が冷媒回路１０に充填されている。ここで、冷媒回路１０に充填される冷媒として、例えば、Ｒ３２単体やＲ３２を含む混合冷媒がある。Ｒ３２を含む混合冷媒として、例えば、Ｒ４５２ＢやＲ４１０Ａ、Ｒ４５４Ｂがある。Ｒ４５２Ｂは、Ｒ３２が６７．０ｗｔ％、Ｒ１２５が７．０ｗｔ％、Ｒ１２３４ｙｆが２６．０％である。Ｒ４１０Ａは、Ｒ３２が５０ｗｔ％、Ｒ１２５が５０ｗｔ％である。Ｒ４５４Ｂは、Ｒ３２が７２．５ｗｔ％、Ｒ１２３４ｙｆが２７．５ｗｔ％である。
【００３４】
冷媒回路１０は、圧縮機１１と、流路切換機構１２と、熱源側熱交換器１３と、膨張機構１４と、利用側熱交換器１５と、これらの機器間を接続する配管と、を有している。
【００３５】
圧縮機１１は、冷凍サイクルにおける低圧の冷媒を高圧になるまで圧縮する機器である。圧縮機１１は、ロータリ式やスクロール式等の容積式の圧縮要素（図示せず）を圧縮機用モータ（図示せず）によって回転駆動する密閉式構造の圧縮機である。
【００３６】
流路切換機構１２は、冷媒回路１０における冷媒の流れの方向を切り換えるための切換弁である。流路切換機構１２は、冷房時に、熱源側熱交換器１３を圧縮機１１において圧縮された冷媒の放熱器として機能させ、かつ、利用側熱交換器１５を熱源側熱交換器１３において放熱した冷媒の蒸発器として機能させる冷房サイクル状態への切り換えを行う（図２の流路切換機構１２の実線を参照）。流路切換機構１２は、暖房時に、熱源側熱交換器１３を利用側熱交換器１５において放熱した冷媒の蒸発器として機能させ、かつ、利用側熱交換器１５を圧縮機１１において圧縮された冷媒の放熱器として機能させる暖房サイクル状態への切り換えを行う（図２の流路切換機構１２の破線を参照）。ここで、流路切換機構１２として、四路切換弁が使用されている。尚、流路切換機構１２は、四路切換弁に限定されるものではなく、複数の弁を使用して四路切換弁と同様の機能を果たせるように構成したものであってもよい。
【００３７】
熱源側熱交換器１３は、冷房時に屋外空気を冷却源とする冷媒の放熱器として機能し、暖房時に屋外空気を加熱源とする冷媒の蒸発器として機能する熱交換器である。
【００３８】
膨張機構１４は、冷房時に熱源側熱交換器１３において放熱した冷凍サイクルにおける高圧の冷媒を冷凍サイクルにおける低圧まで減圧し、暖房時に利用側熱交換器１５において放熱した冷凍サイクルにおける高圧の冷媒を冷凍サイクルにおける低圧まで減圧する機構である。ここで、膨張機構１４として、膨張弁が使用されている。尚、膨張機構１４は、膨張弁に限定されるものではなく、キャピラリーチューブであってもよい。
【００３９】
利用側熱交換器１５は、冷房時に冷媒の蒸発器として機能して屋外空気を冷却し、暖房時に冷媒の放熱器として機能して屋外空気を加熱する熱交換器である。
【００４０】
また、屋外空気調和装置２Ａ〜２Ｉはそれぞれ、上記の冷媒回路１０を構成する機器及び配管（以下、冷媒回路構成部品とする）の他に、熱源側ファン１６と、利用側ファン１７と、を有している。
【００４１】
熱源側ファン１６は、熱源側熱交換器１３を通過する空気流れを生じさせるファンである。具体的には、熱源側ファン１６は、装置の内部に屋外空気を吸入して、熱源側熱交換器１３において冷媒と熱交換させた後に、屋外ＯＳに排出するファンである。ここで、熱源側ファン１６として、熱源側ファンモータによって回転駆動されるプロペラファンが使用されている。尚、熱源側ファン１６は、プロペラファンに限定されるものではなく、他の形式のファンであってもよい。
【００４２】
利用側ファン１７は、利用側熱交換器１５を通過する空気流れを生じさせるファンである。具体的には、利用側ファン１７は、装置の内部に屋外空気を吸入して、利用側熱交換器１５において冷媒と熱交換させた後に、屋外ＯＳに供給するファンである。ここで、利用側ファン１７として、利用側ファンモータによって回転駆動されるターボファンが使用されている。尚、利用側ファン１７は、ターボファンに限定されるものではなく、他の形式のファンであってもよい。
【００４３】
そして、上記の冷媒回路構成部品及びファン１６、１７は、ケーシング２０に収容されている。言い換えれば、屋外空気調和装置２Ａ〜２Ｉはそれぞれ、ケーシング２０と、ケーシング２０に収容される圧縮機１１、熱源側熱交換器１３、熱源側ファン１６、利用側熱交換器１５及び利用側ファン１７等と、を有している。以下に、ケーシング２０の構造や機器配置について説明するが、ケーシング２０の構造や機器配置は、以下に説明するものに限定されない。
【００４４】
ケーシング２０は、水平断面が、略正方形の直方体形状を有している。水平断面は、多角形、長方形であってもよい。円形であってもよい。ケーシング２０は、複数の支柱２１ａ〜２１ｄと、底板２２と、天板２３と、を有している。底板２２は、ケーシング２０の下面を構成している。天板２３は、ケーシング２０の上面を構成している。天板２３には、熱源側吹出口２３ａが形成されている。ケーシング２０の内部空間は、中間板２４〜２６によって仕切られている。中間板２４〜２６は、ケーシング２０の構造の補強にも寄与している。中間板２４〜２６は、設計により適宜の枚数、適宜の位置に配置される。支柱２１ａ〜２１ｄは、上面視水平な正方形の４隅に、鉛直に配置されている。底板２２、天板２３及び中間板２４〜２６は、支柱２１ａ〜２１ｄに固定されている。支柱２１ａ〜２１ｄ間に挟まれたケーシング２０の４つの側面２０ａ〜２０ｄには、化粧部材２７ａ〜２７ｄが設けられている。化粧部材２７ａ〜２７ｄ（ケーシング２０の側面２０ａ〜２０ｄ）の熱源側熱交換器１３に対向する部分には、熱源側吸入口２８ａ〜２８ｄが形成されている。また、化粧部材２７ａ〜２７ｄ（ケーシング２０の側面２０ａ〜２０ｄ）の利用側熱交換器１５に対向する部分には、利用側吸入口２９ａ〜２９ｄが形成されている。さらに、化粧部材２７ａ〜２７ｄ（ケーシング２０の側面２０ａ〜２０ｄ）の熱源側吸入口２８ａ〜２８ｄと利用側吸入口２９ａ〜２９ｄとの上下方向間の部分には、利用側吹出口３０ａ〜３０ｄが形成されている。利用側吹出口３０ａ〜３０ｄは、ケーシング２０の内部空間のうち中間板２４と中間板２５との上下方向間の部分に面している。化粧部材２７ａ〜２７ｄは、適宜、上下、左右に分割されている。
【００４５】
ケーシング２０の内部空間には、上から順に、熱源側ファン１６、熱源側熱交換器１３、利用側ファン１７、利用側熱交換器１５、及び、圧縮機１１が配置されている。熱源側ファン１６は、ケーシング２０の上面（天板２３）の熱源側吹出口２３ａに面するように配置されている。熱源側熱交換器１３は、ケーシング２０の側面２０ａ〜２０ｄ（熱源側吸入口２８ａ〜２８ｄ）に面するように中間板２４上に配置されている。利用側ファン１７は、中間板２４と中間板２５との上下方向間に配置されている。利用側ファン１７の吹出部は、利用側吹出口３０ａ〜３０ｄに面している。中間板２５には、利用側ファン１７の吸込部に面する開口２５ａが形成されている。利用側熱交換器１５は、ケーシング２０の側面２０ａ〜２０ｄ（利用側吸入口２９ａ〜２９ｄ）に面するように中間板２６上に配置されている。圧縮機１１は、底板２２上に配置されている。底板２２には、キャスター３１が取り付けられている。したがって、屋外空気調和装置２Ａ〜２Ｉは、移動可能である。
【００４６】
（２）制御構成
図５は、屋外空気調和システム１の制御ブロック図である。
【００４７】
＜全体＞
上記のように、１つのリモートコントローラ４に複数の屋外空気調和装置２Ａ〜２Ｉが通信接続されることによって、屋外空気調和システム１の制御部が構成されている。具体的には、屋外空気調和装置２Ａ〜２Ｉはそれぞれ、圧縮機１１、切換機構１２、膨張機構１４及びファン１５、１７等を制御する装置側制御部３２Ａ〜３２Ｉを有している。装置制御部３２Ａ〜３２Ｉは、ケーシング２０に設けられている（図４参照）。
【００４８】
＜装置側制御部＞
装置側制御部３２Ａ〜３２Ｉはそれぞれ、上記のように、屋外空気調和装置２Ａ〜２Ｉに設けられている。装置側制御部３２Ａ〜３２Ｉはそれぞれ、装置側ＣＰＵ３３Ａ〜３３Ｉと、装置側通信部３４Ａ〜３４Ｉと、装置側記憶部３５Ａ〜３５Ｉと、を有している。
【００４９】
装置側ＣＰＵ３３Ａ〜３３Ｉはそれぞれ、装置側通信部３４Ａ〜３４Ｉ及び装置側記憶部３５Ａ〜３５Ｉに接続されている。装置側通信部３４Ａ〜３４Ｉはそれぞれ、リモートコントローラ４との間で制御データ等を通信する。装置側記憶部３５Ａ〜３５Ｉはそれぞれ、制御データ等を記憶する。そして、装置側ＣＰＵ３３Ａ〜３３Ｉはそれぞれ、装置側通信部３４Ａ〜３４Ｉ及び装置側記憶部３５Ａ〜３５Ｉを介して、制御データ等の通信や読み書きを行いつつ、屋外空気調和装置２Ａ〜２Ｉを構成する機器１１、１２、１４、１５、１７等を制御する。
【００５０】
＜リモートコントローラ＞
リモートコントローラ４は、リモコンＣＰＵ４１と、リモコン通信部４２と、リモコン記憶部４３と、リモコン操作部４４と、リモコン表示部４５と、を有している。
【００５１】
リモコンＣＰＵ４１は、リモコン通信部４２、リモコン記憶部４３、リモコン操作部４４及びリモコン表示部４５に接続されている。リモコン通信部４２は、装置側制御部３２Ａ〜３２Ｉとの間で制御データ等を通信する。リモコン記憶部４３は、制御データ等を記憶する。リモコン操作部４４は、操作者からの制御指令等の入力を受け付ける。リモコン表示部４５は、運転表示等を行う。そして、リモコンＣＰＵ４１は、リモコン操作部４４を介して制御指令等の入力を受け付けて、リモコン記憶部４３に制御データ等の読み書きを行いつつ、リモコン通信部４２を介して、装置側制御部３２Ａ〜３２Ｉに制御指令等を行う。また、リモコン表示部４５は、運転表示等を行う。
【００５２】
（３）動作
次に、屋外空気調和システム１の動作について、図１、２、４及び５を用いて説明する。屋外空気調和装置２Ａ〜２Ｉはそれぞれ、基本動作として、冷房及び暖房を行うことができる。
【００５３】
＜冷房＞
装置側制御部３２Ａ〜３２Ｉはそれぞれ、冷房の運転指令を受けると、屋外空気調和装置２Ａ〜２Ｉの運転モードを冷房に設定する。そして、装置側制御部３２Ａ〜３２Ｉは、流路切換機構１２を冷房サイクル状態（図２の実線で示される状態）に切り換えて、圧縮機１１及びファン１６、１７を駆動し、膨張機構１４を開ける。
【００５４】
すると、冷媒回路１０内の冷凍サイクルにおける低圧の冷媒は、圧縮機１１に吸入され、冷凍サイクルにおける高圧になるまで圧縮された後に吐出される。圧縮機１１から吐出された高圧のガス冷媒は、流路切換機構１２を通じて、熱源側熱交換器１３に送られる。
【００５５】
熱源側熱交換器１３に送られた高圧のガス冷媒は、熱源側熱交換器１３において、熱源側ファン１６によって冷却源として供給される屋外空気と熱交換を行って放熱して、高圧の液冷媒になる。このとき、屋外空気は、熱源側ファン１６によって、熱源側吸入口２８ａ〜２８ｄを通じてケーシング２０の内部に吸入され、熱源側熱交換器１３を通過した後に、熱源側吹出口２３ａを通じて屋外ＯＳに排出される。
【００５６】
熱源側熱交換器１３において放熱した高圧の液冷媒は、膨張機構１４に送られる。膨張機構１４に送られた高圧の液冷媒は、膨張機構１４によって冷凍サイクルにおける低圧まで減圧される。膨張機構１４で減圧された低圧の冷媒は、利用側熱交換器１５に送られる。
【００５７】
利用側熱交換器１５に送られた低圧の冷媒は、利用側熱交換器１５において、利用側ファン１７によって加熱源として供給される屋外空気と熱交換を行って蒸発する。このとき、屋外空気は、利用側ファン１７によって、利用側吸入口２９ａ〜２９ｄを通じてケーシング２０の内部に吸入され、利用側熱交換器１５を通過した後に、利用側吹出口３０ａ〜３０ｄを通じて屋外ＯＳに供給される。これにより、屋外空気が冷却されて屋外ＯＳの冷房が行われる。
【００５８】
利用側熱交換器１５において蒸発した低圧の冷媒は、流路切換機構１２を通じて、圧縮機１１に送られ、再び、圧縮機１１に吸入される。
【００５９】
＜暖房＞
装置側制御部３２Ａ〜３２Ｉはそれぞれ、暖房の運転指令を受けると、屋外空気調和装置２Ａ〜２Ｉの運転モードを暖房に設定する。そして、装置側制御部３２Ａ〜３２Ｉは、流路切換機構１２を暖房サイクル状態（図２の破線で示される状態）に切り換えて、圧縮機１１及びファン１６、１７を駆動し、膨張機構１４を開ける。
【００６０】
すると、冷媒回路１０内の冷凍サイクルにおける低圧の冷媒は、圧縮機１１に吸入され、冷凍サイクルにおける高圧になるまで圧縮された後に吐出される。圧縮機１１から吐出された高圧のガス冷媒は、流路切換機構１２を通じて、利用側熱交換器１５に送られる。
【００６１】
利用側熱交換器１５に送られた高圧のガス冷媒は、利用側熱交換器１５において、利用側ファン１７によって冷却源として供給される屋外空気と熱交換を行って放熱して、高圧の液冷媒になる。このとき、屋外空気は、利用側ファン１７によって、利用側吸入口２９ａ〜２９ｄを通じてケーシング２０の内部に吸入され、利用側熱交換器１５を通過した後に、利用側吹出口３０ａ〜３０ｄを通じて屋外ＯＳに供給される。これにより、屋外空気が加熱されて屋外ＯＳの暖房が行われる。
【００６２】
利用側熱交換器１５において放熱した高圧の液冷媒は、膨張機構１４に送られる。膨張機構１４に送られた高圧の液冷媒は、膨張機構１４によって冷凍サイクルにおける低圧まで減圧される。膨張機構１４で減圧された低圧の冷媒は、熱源側熱交換器１３に送られる。
【００６３】
熱源側熱交換器１３に送られた低圧の冷媒は、熱源側熱交換器１３において、熱源側ファン１６によって加熱源として供給される屋外空気と熱交換を行って蒸発する。このとき、屋外空気は、熱源側ファン１６によって、熱源側吸入口２８ａ〜２８ｄを通じてケーシング２０の内部に吸入され、熱源側熱交換器１３を通過した後に、熱源側吹出口２３ａを通じて屋外ＯＳに排出される。
【００６４】
熱源側熱交換器１３において蒸発した低圧の冷媒は、流路切換機構１２を通じて、圧縮機１１に送られ、再び、圧縮機１１に吸入される。
【００６５】
＜一括制御＞
屋外空気調和システム１は、１つのリモートコントローラ４によって複数の屋外空気調和装置２Ａ〜２Ｉを操作する構成を採用している。
【００６６】
具体的には、リモートコントローラ４が複数の屋外空気調和装置２Ａ〜２Ｉを一括に操作する。以下に、リモートコントローラ４による複数の屋外空気調和装置２Ａ〜２Ｉの一括操作の例について説明する。
【００６７】
屋外空気調和装置２Ａ〜２Ｉが停止している状態において、操作者がリモートコントローラ４に冷房の運転指令を入力すると、冷房の運転指令がすべての装置側制御部３２Ａ〜３２Ｉに送信される。すると、冷房の運転指令を受けた装置側制御部３２Ａ〜３２Ｉはそれぞれ、屋外空気調和装置２Ａ〜２Ｉの冷房を行う。また、屋外空気調和装置２Ａ〜２Ｉが停止している状態において、操作者がリモートコントローラ４に暖房の運転指令を入力すると、暖房の運転指令がすべての装置側制御部３２Ａ〜３２Ｉに送信される。すると、暖房の運転指令を受けた装置側制御部３２Ａ〜３２Ｉはそれぞれ、屋外空気調和装置２Ａ〜２Ｉの暖房を行う。
【００６８】
屋外空気調和装置２Ａ〜２Ｉが冷房している状態において、操作者がリモートコントローラ４に暖房の運転指令を入力すると、暖房の運転指令がすべての装置側制御部３２Ａ〜３２Ｉに送信される。すると、暖房の運転指令を受けた装置側制御部３２Ａ〜３２Ｉはそれぞれ、屋外空気調和装置２Ａ〜２Ｉを冷房から暖房に切り換える。また、屋外空気調和装置２Ａ〜２Ｉが暖房している状態において、操作者がリモートコントローラ４に冷房の運転指令を入力すると、冷房の運転指令がすべての装置側制御部３２Ａ〜３２Ｉに送信される。すると、冷房の運転指令を受けた装置側制御部３２Ａ〜３２Ｉはそれぞれ、屋外空気調和装置２Ａ〜２Ｉを暖房から冷房に切り換える。
【００６９】
屋外空気調和装置２Ａ〜２Ｉが運転（冷房又は暖房）している状態において、操作者がリモートコントローラ４に停止指令を入力すると、停止指令がすべての装置側制御部３２Ａ〜３２Ｉに送信される。すると、停止指令を受けた装置側制御部３２Ａ〜３２Ｉはそれぞれ、屋外空気調和装置２Ａ〜２Ｉの運転を停止させる。また、所望の時間に屋外空気調和装置２Ａ〜２Ｉの運転（冷房又は暖房）を停止させたい場合には、操作者がリモートコントローラ４に屋外空気調和装置２Ａ〜２Ｉの運転（冷房又は暖房）の停止タイマーの設定時間を入力する。すると、時間が停止タイマーの設定時間に達した際に、停止指令がすべての装置側制御部３２Ａ〜３２Ｉに送信されて、すべての屋外空気調和装置２Ａ〜２Ｉの運転を停止させることができる。逆に、所望の時間に屋外空気調和装置２Ａ〜２Ｉの運転（冷房又は暖房）を開始したい場合には、操作者がリモートコントローラ４に屋外空気調和装置２Ａ〜２Ｉの運転の開始タイマーの設定時間を入力する。すると、時間が開始タイマーの設定時間に達した際に、運転指令がすべての装置側制御部３２Ａ〜３２Ｉに送信されて、すべての屋外空気調和装置２Ａ〜２Ｉの運転を開始させることができる。
【００７０】
屋外空気調和装置２Ａ〜２Ｉが運転（冷房又は暖房）している状態において、操作者がリモートコントローラ４に利用側ファン１７の風量設定の変更指令を入力すると、風量設定の変更指令がすべての装置側制御部３２Ａ〜３２Ｉに送信される。すると、風量設定の変更指令を受けた装置側制御部３２Ａ〜３２Ｉはそれぞれ、屋外空気調和装置２Ａ〜２Ｉの利用側ファン１７の風量を変更する。
【００７１】
屋外空気調和装置２Ａ〜２Ｉが運転（冷房又は暖房）している状態において、操作者がリモートコントローラ４に空調能力（冷房能力又は暖房能力）の強弱設定の変更指令を入力すると、空調能力の強弱設定の変更指令がすべての装置側制御部３２Ａ〜３２Ｉに送信される。すると、空調能力の強弱設定の変更指令を受けた装置側制御部３２Ａ〜３２Ｉはそれぞれ、屋外空気調和装置２Ａ〜２Ｉの圧縮機１１の運転容量や膨張機構１４の開度を変更する。
【００７２】
このように、屋外空気調和システム１は、操作者がリモートコントローラ４に制御指令等を入力すると、すべての屋外空気調和装置２Ａ〜２Ｉに同じ制御指令等が送信され、すべての屋外空気調和装置２Ａ〜２Ｉにおいて同じ動作がなされるように構成されている。
【００７３】
（４）特徴
次に、屋外空気調和システム１の特徴について説明する。
【００７４】
＜Ａ＞
屋外空気調和システム１は、上記のように、１つのリモートコントローラ４によって複数の屋外空気調和装置２Ａ〜２Ｉを操作する構成を採用している。この構成によって、操作者は、複数の屋外空気調和装置２Ａ〜２Ｉのそれぞれの配置場所まで行かずに、複数の屋外空気調和装置２Ａ〜２Ｉを操作することができるため、屋外空気調和装置２Ａ〜２Ｉの操作の手間を減らすことができる。
【００７５】
＜Ｂ＞
屋外空気調和システム１は、上記のように、リモートコントローラ４と複数の屋外空気調和装置２Ａ〜２Ｉとを通信線５（有線）で接続する構成を採用している。この構成によって、例えば、図１に示すように、リモートコントローラ４から離れた場所に配置される屋外空気調和装置２Ｉ等が存在する場合（通信に不利な場合）であっても、良好な通信を行うことができる。
【００７６】
しかも、複数の屋外空気調和装置２Ａ〜２Ｉは、リモートコントローラ４に通信線５で直列に接続されているため、通信線５の配線系統を簡単にできる。
【００７７】
＜Ｃ＞
屋外空気調和システム１は、上記のように、リモートコントローラ４が複数の屋外空気調和装置２Ａ〜２Ｉを一括に操作する構成を採用することによって、すべての屋外空気調和装置２Ａ〜２Ｉにまとめて運転や停止等の指令を行うことができる。
【００７８】
（５）変形例
＜Ａ＞
上記実施形態の屋外空気調和システム１では、複数の屋外空気調和装置２Ａ〜２Ｉが、リモートコントローラ４に通信線５で直列に接続されている（図１参照）。
【００７９】
しかし、リモートコントローラ４と複数の屋外空気調和装置２Ａ〜２Ｉとを通信線５（有線）で接続する構成は、これに限定されるものではない。
【００８０】
例えば、図６に示すように、複数の屋外空気調和装置２Ａ〜２Ｉが、リモートコントローラ４に通信線５で並列に接続されていてもよい。具体的には、リモートコントローラ４と屋外空気調和装置２Ａ〜２Ｉのそれぞれとが通信線５で接続されている。
【００８１】
この並列接続の構成においても、上記実施形態と同様に、リモートコントローラ４から離れた場所に配置される屋外空気調和装置２Ｉ等が存在する場合（通信に不利な場合）であっても、良好な通信を行うことができる。また、この並列接続の構成においては、例えば、複数の屋外空気調和装置２Ａ〜２Ｉの１つとリモートコントローラ４との通信異常が発生しても、他の屋外空気調和装置とリモートコントローラ４との通信については、正常な状態を維持することができる。但し、通信線５の配線系統は、直列接続に比べてやや複雑になるため、配線系統の簡単化の観点では、直列接続のほうが有利である。
【００８２】
＜Ｂ＞
上記実施形態及び変形例Ａの屋外空気調和システム１では、複数の屋外空気調和装置２Ａ〜２Ｉが、リモートコントローラ４に通信線５（有線）で接続されている（図１及び図６参照）。
【００８３】
しかし、リモートコントローラ４と複数の屋外空気調和装置２Ａ〜２Ｉとを通信接続する構成は、これに限定されるものではない。
【００８４】
例えば、図７に示すように、複数の屋外空気調和装置２Ａ〜２Ｉが、リモートコントローラ４に無線で接続されていてもよい。具体的には、装置側制御部３２Ａ〜３２Ｉの装置側通信部３４Ａ〜３４Ｉ及びリモートコントローラ４のリモコン通信部４２（図５参照）が無線通信可能に構成されている。
【００８５】
この無線接続の構成は、リモートコントローラ４と複数の屋外空気調和装置２Ａ〜２Ｉとを接続する通信線をなくすことができる。このため、通信線の配線作業が不要になる。また、屋外空気調和装置２Ａ〜２Ｉの配置を容易に変更することができる。
【００８６】
＜Ｃ＞
上記実施形態及び変形例Ａ、Ｂの屋外空気調和システム１は、リモートコントローラ４が複数の屋外空気調和装置２Ａ〜２Ｉを一括に操作する構成を採用している。
【００８７】
しかし、１つのリモートコントローラ４によって複数の屋外空気調和装置２Ａ〜２Ｉを操作する構成は、屋外空気調和装置２Ａ〜２Ｉを一括に操作する構成に限定されるものではない。
【００８８】
例えば、リモートコントローラ４が複数の屋外空気調和装置２Ａ〜２Ｉを個別に操作する構成を採用してもよい。具体的には、リモートコントローラ４のリモコン操作部４４及びリモコン表示部４５において、リモートコントローラ４に通信接続されている屋外空気調和装置２Ａ〜２Ｉのうち操作対象の屋外空気調和装置を選択して制御指令等を入力できるように構成している。そして、操作者が操作対象の屋外空気調和装置に制御指令等を入力すると、制御指令等が操作対象の屋外空気調和装置の装置側制御部に送信される。すると、制御指令等を受けた装置側制御部は、操作対象の屋外空気調和装置について制御指令等に応じた動作を行う。尚、制御指令等やその動作は、複数の屋外空気調和装置２Ａ〜２Ｉを一括に操作する場合の制御指令等やその動作と同様であるため、ここでは説明を省略する。
【００８９】
本変形例の屋外空気調和システム１は、上記のように、リモートコントローラ４が複数の屋外空気調和装置２Ａ〜２Ｉを個別に操作する構成を採用することによって、屋外空気調和装置２Ａ〜２Ｉごとに運転や停止等の指令を行うことができる。
【００９０】
＜Ｄ＞
上記実施形態及び変形例Ａ〜Ｃの屋外空気調和システム１では、操作者がリモートコントローラ４で屋外空気調和装置２Ａ〜２Ｉから離れた場所から屋外空気調和装置２Ａ〜２Ｉを操作するため、操作対象の屋外空気調和装置を確認しにくい場合がある。特に、複数の屋外空気調和装置２Ａ〜２Ｉを個別に操作する場合には、操作対象の屋外空気調和装置を確認した上で操作を行うことが望まれる。しかし、屋外空気調和装置２Ａ〜２Ｉの屋外ＯＳにおける配置は、レイアウト変更等によって変更される場合もある。このような場合、実際の屋外空気調和装置２Ａ〜２Ｉの配置が、操作者がリモートコントローラ４によって認識する屋外空気調和装置２Ａ〜２Ｉの配置と一致しない場合もある。
【００９１】
そこで、本変形例の屋外空気調和システム１は、屋外空気調和装置２Ａ〜２Ｉのケーシング２０の外面に発光部３６を設けて、操作対象の屋外空気調和装置の発光部３６を光らせる構成を採用している。
【００９２】
具体的には、図８に示すように、屋外空気調和装置２Ａ〜２Ｉは、ケーシング２０の外面に発光部３６を有している。発光部３６は、ＬＥＤ等を含んでおり、図９に示すように、屋外空気調和装置２Ａ〜２Ｉの装置側制御部３２Ａ〜３２Ｉに接続されている。発光部３６は、ケーシング２０の外面のうちケーシング２０の側面を構成する支柱２１ｄの上部（熱源側吸入口２８ａ〜２８ｄよりも上側の部分）に配置されている。尚、発光部３６の配置は、支柱２１ｄに限定されるものではなく、ケーシング２０の側面を構成する部分（側面２０ａ〜２０ｄ及び他の支柱２１ａ〜２１ｃ）であってもよい。
【００９３】
そして、操作者が屋外空気調和装置２Ａ〜２Ｉのうち操作対象の屋外空気調和装置を選択すると、その信号が操作対象の屋外空気調和装置の装置側制御部に送信される。すると、その信号を受けた装置側制御部は、操作対象の屋外空気調和装置の発光部３６を光らせる。ここで、発光部３６を光らせる態様は、単に点灯させるだけでもよいし、点滅させるものであってもよい。要するに、操作対象以外の屋外空気調和装置の発光部３６の状態と区別できる態様で、操作対象の屋外空気調和装置の発光部３６を光らせるようにすればよい。これにより、操作者は、リモートコントローラ４で選択した屋外空気調和装置を確認することができる。そして、操作者は、選択した屋外空気調和装置が操作対象の屋外空気調和装置であれば、所望の制御指令等を入力して、操作対象の屋外空気調和装置を操作することができる。
【００９４】
このように、本変形例の屋外空気調和システム１は、上記のように、操作対象の屋外空気調和装置の発光部３６を光らせる構成を採用することによって、操作対象の屋外空気調和装置を確認した上で、屋外空気調和装置を操作できる。また、複数の屋外空気調和装置２Ａ〜２Ｉを一括に操作する場合には、すべての屋外空気調和装置２Ａ〜２Ｉが正しく接続されているかどうかを確認できる。
【００９５】
また、本変形例の屋外空気調和システム１は、発光部３６がケーシング２０の側面に設けられている構成を採用することによって、操作対象の屋外空気調和装置を確認しやすくできる。このとき、操作対象の屋外空気調和装置の配置方向も併せて確認できる。
【００９６】
＜Ｅ＞
上記変形例Ｄの屋外空気調和システム１は、屋外空気調和装置２Ａ〜２Ｉのケーシング２０の外面に発光部３６を設けて、操作対象の屋外空気調和装置の発光部３６を光らせる構成を採用している。
【００９７】
しかし、操作対象の屋外空気調和装置を確認するための構成は、操作対象の屋外空気調和装置の発光部３６を光らせる構成に限定されるものではない。
【００９８】
例えば、屋外空気調和装置２Ａ〜２Ｉの利用側吹出口３０ａ〜３０ｄにフラップ３７が設けられている場合には、操作対象の屋外空気調和装置のフラップ３７を動作させる構成を採用してもよい。
【００９９】
具体的には、図１０に示すように、屋外空気調和装置２Ａ〜２Ｉは、利用側吹出口３０ａ〜３０ｄに利用側吹出口３０ａ〜３０ｄから吹き出される空気流れの向きを変更するフラップ３７を有している。尚、フラップ３７は、空気流れの上下の向きを変更するものであってもよいし、空気流れの左右の向きを変更するものであってもよい。フラップ３７は、図１１に示すように、屋外空気調和装置２Ａ〜２Ｉの装置側制御部３２Ａ〜３２Ｉに接続されている。
【０１００】
そして、操作者が屋外空気調和装置２Ａ〜２Ｉのうち操作対象の屋外空気調和装置を選択すると、その信号が操作対象の屋外空気調和装置の装置側制御部に送信される。すると、その信号を受けた装置側制御部は、操作対象の屋外空気調和装置のフラップ３７を動作させる。ここで、フラップ３７を動作させる態様として、例えば、スイング動作等がある。これにより、操作者は、リモートコントローラ４で選択した屋外空気調和装置を確認することができる。そして、操作者は、選択した屋外空気調和装置が操作対象の屋外空気調和装置であれば、所望の制御指令等を入力して、操作対象の屋外空気調和装置を操作することができる。
【０１０１】
このように、本変形例の屋外空気調和システム１は、上記のように、操作対象の屋外空気調和装置のフラップ３７を動作させる構成を採用することによって、操作対象の屋外空気調和装置を確認した上で、屋外空気調和装置を操作できる。また、複数の屋外空気調和装置２Ａ〜２Ｉを一括に操作する場合には、すべての屋外空気調和装置２Ａ〜２Ｉが正しく接続されているかどうかを確認できる。
【０１０２】
＜Ｆ＞
上記変形例Ｄ、Ｅの屋外空気調和システム１は、操作対象の屋外空気調和装置の発光部３６を光らせる構成や操作対象の屋外空気調和装置のフラップ３７を動作させる構成を採用している。
【０１０３】
しかし、操作対象の屋外空気調和装置を確認するための構成は、操作対象の屋外空気調和装置の発光部３６を光らせる構成や操作対象の屋外空気調和装置のフラップ３７を動作させる構成に限定されるものではない。
【０１０４】
例えば、屋外空気調和装置２Ａ〜２Ｉの熱源側ファン１６及び／又は利用側ファン１７を利用して、操作対象の屋外空気調和装置の熱源側ファン１６及び／又は利用側ファン１７を動作させる構成を採用してもよい。
【０１０５】
具体的には、操作者が屋外空気調和装置２Ａ〜２Ｉのうち操作対象の屋外空気調和装置を選択すると、その信号が操作対象の屋外空気調和装置の装置側制御部に送信される。すると、その信号を受けた装置側制御部は、操作対象の屋外空気調和装置の熱源側ファン１６及び／又は利用側ファン１７を動作させる。ここで、両ファン１６、１７を動作させてもよいし、ファン１６、１７の一方だけを動作させてもよい。これにより、操作者は、リモートコントローラ４で選択した屋外空気調和装置を確認することができる。そして、操作者は、選択した屋外空気調和装置が操作対象の屋外空気調和装置であれば、所望の制御指令等を入力して、操作対象の屋外空気調和装置を操作することができる。
【０１０６】
このように、本変形例の屋外空気調和システム１は、上記のように、操作対象の屋外空気調和装置の熱源側ファン１６及び／又は利用側ファン１７を動作させる構成を採用することによって、操作対象の屋外空気調和装置を確認した上で、屋外空気調和装置を操作できる。また、複数の屋外空気調和装置２Ａ〜２Ｉを一括に操作する場合には、すべての屋外空気調和装置２Ａ〜２Ｉが正しく接続されているかどうかを確認できる。
【０１０７】
＜Ｇ＞
上記実施形態及び変形例Ａ〜Ｆの屋外空気調和システム１において、複数の屋外空気調和装置２Ａ〜２Ｉで種々の異常が発生する場合がある。屋外空気調和装置２Ａ〜２Ｉの異常としては、例えば、図１２に示すようなものがある。ここで、圧縮機１１やファン１６、１７の異常のような屋外空気調和装置を停止させる処置が必要な異常は、最も異常の深刻さ度合いが高い異常ランクＡに分類されている。また、圧縮機１１に付属するクランクケースヒータの交換時期を知らせる警報のような屋外空気調和装置を停止させる処置が不要な異常は、異常ランクＡの次に深刻さ度合いが高い異常ランクＢに分類されている。また、屋外空気調和装置２Ａ〜２Ｉの装置ＩＤが重複していることを知らせる注意報のような異常ランクＢよりも深刻さ度合いが低い異常は、異常ランクＣに分類されている。そして、複数の屋外空気調和装置２Ａ〜２Ｉで種々の異常が発生した場合には、リモートコントローラ４が、その異常情報をリモコン表示部４５に表示することが好ましい。
【０１０８】
そこで、本変形例の屋外空気調和システム１では、リモートコントローラ４が異常情報をリモコン表示部４５に表示する構成を採用している。以下に、異常の発生例を示しつつ、図１３のフローチャートに沿って、本変形例の屋外空気調和システム１における異常情報表示について説明する。
【０１０９】
まず、複数の屋外空気調和装置２Ａ〜２Ｉのいずれか１台（例えば、屋外空気調和装置２Ａ）において１つの異常が発生している場合を想定する。この場合、異常が発生した屋外空気調和装置２Ａの装置側制御部３２Ａは、発生した異常情報（異常コードに対応する制御信号）をリモートコントローラ４に送信し、屋外空気調和装置２Ａの異常情報をリモートコントローラ４が受信する（ステップＳＴ１）。異常情報を受信したリモートコントローラ４は、屋外空気調和装置２Ａの異常情報を、屋外空気調和装置２Ａの装置ＩＤ及び受信時刻とともに、リモコン記憶部４３に記憶する。ここで、装置ＩＤは、例えば、複数の屋外空気調和装置２Ａ〜２Ｉとリモートコントローラ４との間で通信接続がなされた際に、リモートコントローラ４から屋外空気調和装置２Ａ〜２Ｉのそれぞれに割り振られた識別番号である。また、リモートコントローラ４は、屋外空気調和装置２Ａの異常情報とともに受信している他の異常情報があるかどうか、言い換えれば、複数の異常情報があるかどうかを判定する（ステップＳＴ２）。ここでは、受信した異常情報が１つだけ（屋外空気調和装置２Ａの１つの異常情報だけ）であるため、リモートコントローラ４は、複数の異常情報がないものと判定する。そして、リモートコントローラ４は、受信した屋外空気調和装置２Ａの異常情報（第１異常情報）をリモコン表示部４５に表示して（ステップＳＴ３）、ステップＳＴ１の処理に戻る。ステップＳＴ３において、リモートコントローラ４は、屋外空気調和装置２Ａの異常情報として、異常ランク（又は、異常ランクを意味する情報）を表示してもよいし、異常コード（又は、異常コードに対応する異常内容）を表示してもよい。また、このとき、リモートコントローラ４は、異常が発生している屋外空気調和装置２Ａの装置ＩＤも併せて表示してもよい。
【０１１０】
次に、屋外空気調和装置２Ａにおける１つの異常に加えて屋外空気調和装置２Ａ以外の他の屋外空気調和装置２Ｂ〜２Ｉのいずれか（例えば、屋外空気調和装置２Ｂ）においても１つの異常が発生した場合を想定する。言い換えれば、複数の屋外空気調和装置２Ａ〜２Ｉにおいて複数の異常が発生している場合を想定する。この場合、既に異常が発生している屋外空気調和装置２Ａの装置側制御部３２Ａだけでなく、新たに異常が発生した屋外空気調和装置２Ｂの装置側制御部３２Ｂも、発生した異常情報をリモートコントローラ４に送信する。このため、リモートコントローラ４は、屋外空気調和装置２Ａ、２Ｂの異常情報を受信する（ステップＳＴ１）。異常情報を受信したリモートコントローラ４は、屋外空気調和装置２Ａ、２Ｂの異常情報を、屋外空気調和装置２Ａ、２Ｂの装置ＩＤ及び受信時刻とともに、リモコン記憶部４３に記憶する。また、リモートコントローラ４は、複数の異常情報があるかどうかを判定する（ステップＳＴ２）。ここでは、受信した異常情報が２つ（屋外空気調和装置２Ａ、２Ｂの異常情報）であるため、屋外空気調和装置２Ａ、２Ｂの複数の異常情報が存在するものと判定する。そして、リモートコントローラ４は、受信した屋外空気調和装置２Ａ、２Ｂの異常情報のうち最も異常の深刻さ度合いが高い異常情報（第１異常情報）をリモコン表示部４５に表示して（ステップＳＴ４）、ステップＳＴ１の処理に戻る。例えば、屋外空気調和装置２Ａで発生している異常のランクがＡで、かつ、屋外空気調和装置２Ｂで発生している異常のランクがＢである場合には、リモートコントローラ４は、屋外空気調和装置２Ａの異常情報を第１異常情報としてリモコン表示部４５に表示する。逆に、屋外空気調和装置２Ａで発生している異常のランクがＢで、かつ、屋外空気調和装置２Ｂで発生している異常のランクがＡである場合には、リモートコントローラ４は、屋外空気調和装置２Ｂの異常情報を第１異常情報としてリモコン表示部４５に表示する。また、屋外空気調和装置２Ａ、２Ｂで発生している異常のランクが同じ場合には、リモートコントローラ４は、既に表示中の屋外空気調和装置２Ａの異常情報を第１異常情報としてリモコン表示部４５に継続して表示する。
【０１１１】
また、屋外空気調和装置２Ａにおいて先に発生した異常とは別の異常がさらに発生した場合を想定する。言い換えれば、屋外空気調和装置２Ａ〜２Ｉのいずれか１台において複数の異常が発生している場合を想定する。この場合、屋外空気調和装置２Ａの装置側制御部３２Ａが、既に発生している異常情報とともに新たに発生した異常情報をリモートコントローラ４に送信し、屋外空気調和装置２Ａの２つの異常情報をリモートコントローラ４が受信する（ステップＳＴ１）。このため、リモートコントローラ４は、屋外空気調和装置２Ａの２つの異常情報を受信する（ステップＳＴ１）。異常情報を受信したリモートコントローラ４は、屋外空気調和装置２Ａの２つの異常情報を、屋外空気調和装置２Ａの装置ＩＤ及び受信時刻とともに、リモコン記憶部４３に記憶する。また、リモートコントローラ４は、複数の異常情報があるかどうかを判定する（ステップＳＴ２）。ここでは、受信した異常情報が２つ（屋外空気調和装置２Ａの２つの異常情報）であるため、屋外空気調和装置２Ａの複数の異常情報が存在するものと判定する。そして、リモートコントローラ４は、受信した屋外空気調和装置２Ａの２つの異常情報のうち最も異常の深刻さ度合いが高い異常情報（第１異常情報）をリモコン表示部４５に表示して（ステップＳＴ４）、ステップＳＴ１の処理に戻る。例えば、屋外空気調和装置２Ａで先に発生している異常のランクがＢで、かつ、屋外空気調和装置２Ａで後に発生した異常のランクがＡである場合には、リモートコントローラ４は、後に発生した異常の異常情報を第１異常情報としてリモコン表示部４５に表示する。逆に、屋外空気調和装置２Ａで先に発生している異常のランクがＡで、かつ、屋外空気調和装置２Ａで後に発生した異常のランクがＢである場合には、リモートコントローラ４は、先に発生した異常の異常情報を第１異常情報としてリモコン表示部４５に表示する。また、屋外空気調和装置２Ａで発生している２つの異常のランクが同じ場合には、リモートコントローラ４は、既に表示中の屋外空気調和装置２Ａで先に発生した異常情報を第１異常情報としてリモコン表示部４５に継続して表示する。
【０１１２】
また、複数の屋外空気調和装置２Ａ〜２Ｉにおいて複数の異常が発生している状態から第１異常情報として表示されている異常が解消された場合を想定する。この場合、リモートコントローラ４は、ステップＳＴ１において、第１異常情報として表示されていた異常情報を受信しなくなる。このため、リモートコントローラ４は、第１異常情報として表示されていた異常情報以外の異常情報を、装置ＩＤ及び受信時刻とともに、リモコン記憶部４３に記憶する。尚、異常情報をリモコン記憶部４３に記憶させるタイミングは、異常情報を第１異常情報として表示したタイミングであってもよいし、異常情報を受信したタイミングであってもよい。また、リモートコントローラ４は、次に異常のランクが高い異常情報を第１異常情報としてリモコン表示部４５に表示する（ステップＳＴ２〜ＳＴ４）。例えば、ランクがＡの異常及びランクがＢの異常が発生している状態からランクがＡの異常が解消された場合には、リモートコントローラ４は、リモコン表示部４５に表示する第１異常情報を、ランクがＡの異常情報からランクがＢの異常情報に変更する。
【０１１３】
このように、本変形例の屋外空気調和システム１は、上記のように、リモートコントローラ４が、複数の屋外空気調和装置２Ａ〜２Ｉで異常が発生した場合に、最も異常の深刻さ度合いが高い異常情報を第１異常情報としてリモコン表示部４５に表示する。このため、本変形例の屋外空気調和システム１は、深刻な異常が発生している屋外空気調和装置の存在をリモートコントローラ４のリモコン表示部４５を通じて確認でき、発生している異常に適切な処置を講じることができる。特に、第１異常情報だけをリモコン表示部４５に表示する場合には、最も異常の深刻さ度合いが高い異常情報の確認が容易になる。
【０１１４】
また、本変形例の屋外空気調和システム１は、リモートコントローラ４が、第１異常情報としてリモコン表示部４５に表示されている異常が解消された場合に、次に深刻さ度合いが高い異常情報を第１異常情報としてリモコン表示部４５に表示する。このため、本変形例の屋外空気調和システム１は、深刻な異常が発生している屋外空気調和装置の存在を深刻さ度合いが高い順に確認でき、深刻さ度合いが高い異常から順に適切な処置を講じることができる。
【０１１５】
＜Ｈ＞
上記変形例Ｇの屋外空気調和システム１において、リモートコントローラ４は、複数の屋外空気調和装置２Ａ〜２Ｉで異常が発生した場合に、最も異常の深刻さ度合いが高い異常情報を第１異常情報としてリモコン表示部４５に表示している。
【０１１６】
しかし、リモートコントローラ４は、最も深刻さ度合いが高い第１異常情報だけでなく、他の異常情報もリモコン表示部４５に表示してもよい。この場合、リモートコントローラ４は、第１異常情報を認識しやすくするために、表示上の工夫を施すことが好ましい。例えば、リモートコントローラ４は、複数の異常情報を異常の深刻さ度合いが高い順に並べてリモコン表示部４５に表示すること、又は、異常の深刻さ度合いに応じて文字サイズや文字色を変えてリモコン表示部４５に表示すること、ができる。
【０１１７】
また、リモートコントローラ４がＬＥＤ等の発光部を有する場合、リモートコントローラ４は、異常情報をリモコン表示部４５に表示するとともに、発光部を光らせるようにしてもよい。ここで、リモートコントローラ４の発光部を光らせる態様は、点滅させてもよいし、特別な光色で点灯させるものであってもよい。要するに、異常情報を表示しない場合のリモートコントローラ４の発光部の状態と区別できる態様で、リモートコントローラ４の発光部を光らせるようにすればよい。これにより、操作者は、リモートコントローラ４のリモコン表示部４５を確認しなくても、深刻な異常が発生している屋外空気調和装置の存在をリモートコントローラ４の発光部によって確認できる。
【０１１８】
また、変形例Ｄの屋外空気調和システム１のように複数の屋外空気調和装置２Ａ〜２Ｉが発光部３６を有する場合、異常が発生している屋外空気調和装置の装置側制御部は、発光部３６を異常が発生していることを示す態様で光らせるようにしてもよい。
【０１１９】
また、リモートコントローラ４は、リモコン記憶部４３に記憶されている異常情報の履歴を、リモコン表示部４５に表示できるようにしてもよい。
【０１２０】
また、上記変形例Ｇの屋外空気調和システム１では、１台の屋外空気調和装置で複数の異常が発生した場合に、装置側制御部が複数の異常情報をリモートコントローラ４に送信している。そして、リモートコントローラ４が、これらの異常情報を含む複数の異常情報のうち最も異常の深刻さ度合いが高い異常情報を選択して、選択した異常情報を第１異常情報としてリモコン表示部４５に表示している。しかし、装置側制御部とリモートコントローラとの間の異常情報のやりとりは、これに限定されるものではない。例えば、１台の屋外空気調和装置で複数の異常が発生した場合に、装置側制御部が、複数の異常情報のうち最も異常の深刻さ度合いが高い異常情報を選択して、リモートコントローラ４に送信してもよい。この場合には、リモートコントローラ４は、受信した異常情報が装置側制御部で選択されたものに限定されているため、最も異常の深刻さ度合いが高い異常情報を選択する処理を行わずに済ませることができる。また、別の屋外空気調和装置からも異常情報を受信している場合（複数の屋外空気調和装置から異常情報を受信している場合）であっても、最も異常の深刻さ度合いが高い異常情報を選択する処理を軽減することができる。
【０１２１】
＜Ｉ＞
上記実施形態及び変形例Ａ〜Ｆの屋外空気調和システム１を構成する屋外空気調和装置２Ａ〜２Ｉは、冷房及び暖房を切り換えて行う型式の屋外空気調和装置であるが、屋外空気調和装置の型式はこれに限定されない。例えば、屋外空気調和装置は、冷房及び暖房に加えて除湿を行う形式のものであってもよいし、冷房だけを行う形式のものや暖房だけを行う形式のものであってもよい。
【０１２２】
以上、本開示の実施形態を説明したが、請求の範囲に記載された本開示の趣旨及び範囲から逸脱することなく、形態や詳細の多様な変更が可能であることが理解されるであろう。
【産業上の利用可能性】
【０１２３】
本開示は、屋外に配置される屋外空気調和装置に対して、広く適用可能である。
【符号の説明】
【０１２４】
１              屋外空気調和システム
２Ａ〜２Ｉ      屋外空気調和装置
４              リモートコントローラ
１１            圧縮機
１３            熱源側熱交換器
１５            利用側熱交換器
１６            熱源側ファン
１７            利用側ファン
２０            ケーシング
２３ａ          熱源側吹出口
３０ａ〜３０ｄ  利用側吹出口
３６            発光部
３７            フラップ
４５            リモコン表示部（表示部）
【先行技術文献】
【特許文献】
【０１２５】
【特許文献１】特開２００６−２４２５１０号公報
【図１】
2020159639.tif 000003
【図２】
2020159639.tif 000004
【図３】
2020159639.tif 000005
【図４】
2020159639.tif 000006
【図５】
2020159639.tif 000007
【図６】
2020159639.tif 000008
【図７】
2020159639.tif 000009
【図８】
2020159639.tif 000010
【図９】
2020159639.tif 000011
【図１０】
2020159639.tif 000012
【図１１】
2020159639.tif 000013
【図１２】
2020159639.tif 000014
【図１３】
2020159639.tif 000015